(57)【要約】【課題】持ち運びの際に嵩張ることがないとともに、使用者において組み立てを可能にして面白みを増したフレームキットを提供すること。【解決手段】四隅に配置されたコーナー留め具７と、コーナー留め具７を介して略四角形状に分解可能に枠組みされた複数本のフレーム材６とを有した、その内周側全域に挿入溝２０１を有する枠体２と、周縁部が前記挿入溝２０１内に挿入される配置で前記枠体２内に支持される、筒状に変形自在又は折り畳み自在とした透明体３と、透明体３の裏面側に重ね合わされる配置でかつ周縁部が前記挿入溝２０１内に挿入される配置で前記枠体２内に支持される、筒状に変形自在又は折り畳み自在とした裏板４と、を具備するフレームキットであり、コーナー留め具７は、互いに直交する一対の挿入孔７０２内に前記フレーム材６の端部を挿入することでフレーム材６を端部どうしで直交方向に向けて連結した。【選択図】図１
0003124443.tif 000002
【実用新案登録請求の範囲】
【請求項１】
四隅に配置されたコーナー留め具（７）と、該コーナー留め具（７）を介して略四角形状に分解可能に枠組みされた複数本のフレーム材（６）と、を有した、その内周側全域に挿入溝（２０１）を有する枠体（２）と、
周縁部が前記挿入溝（２０１）内に挿入される配置で前記枠体（２）内に支持される、筒状に変形自在又は折り畳み自在とした透明体（３）と、
該透明体（３）の裏面側に重ね合わされる配置でかつ周縁部が前記挿入溝（２０１）内に挿入される配置で前記枠体（２）内に支持される、筒状に変形自在又は折り畳み自在とした裏板（４）と、を具備するフレームキットであって、
前記コーナー留め具（７）は、互いに直交する一対の挿入孔（７０２）を具備し、該挿入孔（７０２）内に前記フレーム材（６）の端部を挿入することで、前記フレーム材（６）を端部どうしで直交方向に向けて連結した、ことを特徴とするフレームキット。
【請求項２】
四隅に配置されたコーナー留め具（７）と、該コーナー留め具（７）を介して略四角形状に分解可能に枠組みされた複数本のフレーム材（６）と、を有した、その内周側全域に挿入溝（２０１）を有する枠体（２）と、
周縁部が前記挿入溝（２０１）内に挿入される配置で前記枠体（２）内に支持される、筒状に変形自在又は折り畳み自在とした透明体（３）と、
該透明体（３）の裏面側に重ね合わされる配置でかつ周縁部が前記挿入溝（２０１）内に挿入される配置で前記枠体（２）内に支持される、筒状に変形自在又は折り畳み自在とした裏板（４）と、
分解した前記複数のフレーム材と、コーナー留め具（７）と、筒状に変形させた又は折り畳んだ透明体（３）と、筒状に変形自在させた又は折り畳んだ裏板（４）と、を収容可能な収容手段（５）と、を具備するフレームキットであって、
前記コーナー留め具（７）は、互いに直交する一対の挿入孔（７０２）を具備し、該挿入孔（７０２）内に前記フレーム材（６）の端部を挿入することで、前記フレーム材（６）を端部どうしで直交方向に向けて連結可能にした、ことを特徴とするフレームキット。
【請求項３】
前記コーナー留め具（７）における挿入孔（７０２）の内壁に係止突起（７０３）を形成するとともに、前記フレーム材（６）における前記挿入孔（７０２）内に挿入する部分に、前記係止突起（７０３）が嵌入する係止孔（６０２）を形成したことを特徴とする請求項１又は請求項２に記載のフレームキット。
【考案の詳細な説明】
【技術分野】
【０００１】
本考案はフレームキットに係り、より詳しくは、組み立て及び分解自在にするとともに、分解した際にはコンパクトにまとめることを可能としたフレームキットに関する。
【背景技術】
【０００２】
一般的に、写真、絵画等を壁等に飾る場合に用いるフレームは、四角形状に枠組みすることにより構成された枠体と、この枠体の内周側に支持されるとともに、写真、絵画等を挟み込んで支持することが可能な透明体および裏板を備えており、透明体と裏板の間に写真、絵画等を挟み込むことにより、フレームに写真、絵画等を支持し、その後このフレームを壁等に掛けることにより、写真、絵画等を所望する箇所に飾ることを可能としている。
【０００３】
そして、この従来から一般的に提供されているフレームでは、枠体の内周側に透明体及び裏板を装着した状態で提供されており、そのため、全体が大きくなってしまい、販売店で購入して自宅等へ持ち帰る際に嵩張ってしまうという問題点がある。
【０００４】
また、従来から提供されているフレームでは、完成された状態で提供されているために、使用者は、単に透明体と裏板との間に写真、絵画等を挟み込む作業のみしかできず、面白みに欠けるものであった。
【考案の開示】
【考案が解決しようとする課題】
【０００５】
そこで、本考案は、持ち運びの際に嵩張ることがないとともに、分解及び組み立て自在にすることにより使用者において組み立てを可能にして、これにより面白みを増したフレームキットを提供することを課題としている。
【課題を解決するための手段】
【０００６】
請求項１に記載の本考案のフレームキットは、
四隅に配置されたコーナー留め具と、該コーナー留め具を介して略四角形状に分解可能に枠組みされた複数本のフレーム材と、を有した、その内周側全域に挿入溝を有する枠体と、
周縁部が前記挿入溝内に挿入される配置で前記枠体内に支持される、筒状に変形自在又は折り畳み自在とした透明体と、
該透明体の裏面側に重ね合わされる配置でかつ周縁部が前記挿入溝内に挿入される配置で前記枠体内に支持される、筒状に変形自在又は折り畳み自在とした裏板と、を具備するフレームであって、
前記コーナー留め具は、互いに直交する一対の挿入孔を具備し、該挿入孔内に前記フレーム材の端部を挿入することで、前記フレーム材を端部どうしで直交方向に向けて連結可能にした、ことを特徴としている。
【０００７】
また、請求項２に記載の本考案のフレームキットは、請求項１に記載の本考案のフレームキットに、更に、分解した前記複数のフレーム材と、コーナー留め具と、筒状に変形させた又は折り畳んだ透明体と、筒状に変形させた又は折り畳んだ裏板と、を収容可能な収容手段を備えたことを特徴としている。
【考案の効果】
【０００８】
本考案のフレームキットでは、略四角形状に枠組みされた枠体を分解可能にするとともに、透明体及び裏板を、筒状に変形自在又は折り畳み自在としているため、枠体を分解するとともに透明体及び裏板を筒状に変形させ又は折り畳み、これにより全体をコンパクトにまとめることで、持ち運びに際して嵩張ることが無くなる。
【０００９】
また、例えば、自宅等に持ち帰った後に、枠体を枠組みするとともにこの枠体の内周側に透明体及び裏板を係止してフレームを組み立てる楽しみもでき、面白みを増すこともできる。
【考案を実施するための最良の形態】
【００１０】
本考案のフレームキットでは、略四角形状に枠組みされた枠体を有しており、この枠体はその内周側全域に挿入溝を有している。
【００１１】
また、前記枠体は、四隅に配置されたコーナー留め具を用いて、このコーナー留め具を介して、複数本のフレーム材を分解可能に枠組みして構成されている。
【００１２】
更に、本考案のフレームキットでは、その周縁部が枠体の挿入溝内に挿入される配置で前記枠体内に支持される透明体と、この透明体の裏面側に重ね合わされる配置で、かつ、その周縁部が枠体の挿入溝内に挿入される配置で前記枠体内に支持される裏板を有しており、透明体及び裏板はともに、筒状に変形自在又は折り畳み自在とし、これにより、例えば透明体及び裏板を筒状に丸めることによりコンパクトにすることを可能としている。
【００１３】
そして、前記コーナー留め具は、互いに直交する一対の挿入孔を具備しており、この挿入孔内に前記フレーム材の端部を挿入することで、前記フレーム材を端部どうしで離反可能に連結している。
【００１４】
また、本考案のフレームキットでは長箱状あるいは円筒状の収容手段を備えており、この収容手段内には、複数のフレーム材に分解した前記枠体、コーナー留め具、筒状に変形させた又は折り畳んだ透明体及び裏板、更に連結手段を収容可能としており、これにより、全体をコンパクトにまとめて嵩張りを無くするとともに持ち運びを容易にしている。
【００１５】
ここで、前記コーナー留め具における挿入孔の内壁に係止突起を形成するとともに、前記フレーム材における前記挿入孔内に挿入する部分に、前記係止突起が嵌入する係止孔を形成するとよく、これにより、係止突起が係止孔内に嵌入させることで、フレーム材がコーナー留め具から抜け出てしまうことを有効に防止することが可能である。
【実施例１】
【００１６】
本考案のフレームキットの実施例について図面を参照して説明すると、図１は本実施例のフレームキットの実施例を分解した状態の正面図であり、本実施例のフレームキットは、分解可能としたフレーム１と、分解した状態のフレーム１を収容するための収容手段５で構成されている。
【００１７】
そして、前記フレーム１は、略四角形状に枠組みした枠体２と、この枠体２内周側に支持される透明体３と、この透明体３裏面側に重ね合わされる配置で前枠体２の内周側に支持される裏板４とを備えており、一方、収容手段５は、収容手段本体５０１と蓋５０２とを備えており、本実施例において前記収容手段５は、有底円筒状の収容手段本体５０１と蓋５０２とで構成されるチューブ状の形態としている。
【００１８】
また、前記透明体３はビニール等の透明素材で形成するとともに、円筒状にまるめ、あるいは小さく折り畳むことを可能としている。
【００１９】
更に、前記裏板４は、透明体３と同様に、円筒状に丸め、あるいは小さく折り畳むことを可能な素材により形成している。
【００２０】
次に、前記枠体２について説明すると、図２は、前記枠体２を分解した状態の平面図であり、本実施例において前記枠体２は、４本の長尺状のフレーム材６と、このフレーム材６を端部どうしで連結したコーナー留め具７とを有し、四隅に配置される前記コーナー留め具７を用いて、前記フレーム材６を略四角形状に枠組みして構成されている。
【００２１】
ここで、前記フレーム材６と前記コーナー留め具７について説明すると、図３は、前記フレーム材６と前記コーナー留め具７との関係を説明するための斜視図であり、図においてフレーム材６は、全体をアルミ等の金属により形成されており、長手方向に向いた断面形状を略コ字状とし、従って、長手方向に沿って溝６０１を有している。そして、溝６０１の開口側が内側になるようにして枠組みしており、これによって、前記枠体２はその内周側全域に挿入溝２０１を有している。
【００２２】
一方、前記コーナー留め具７は、全体を樹脂により形成しており、互いに直交する方向へ向いた挿入部７０１を有し、従って平面形状を略鉤状としている。そして、前記挿入部７０１内は空洞としており、この空洞部分を、前記フレーム材６の端部が挿入可能な挿入孔７０２としている。そしてこれにより、前記挿入孔７０２内に前記フレーム材６の端部を挿入することで、２本のフレーム材６を互いに直交する方向に向けて連結することを可能としている。そのため、４個のコーナー留め具７を用いて４本のフレーム材６を互いに直交する方向に連結することにより、略四角形状とした枠体２を枠組みすることが可能である。この状態を示した図が図５であり、図５は、枠体２におけるコーナー部分の縦断平面を示しており、図において２０１が枠体２の内周側全域に形成された挿入溝である。
【００２３】
また、前記コーナー留め具７は、内周側全域を開口としており、これにより、略四角形状とした枠体２を枠組みした際に、フレーム材６における溝６０１とともに、枠体２の内周側全域に挿入溝２０１を形成することを可能としている。
【００２４】
次に、図４は、前記コーナー留め具７を挿入孔７０２の方向から見た図であり、図において７０３は係止突起である。即ち、本実施例において前記コーナー留め具７は、その内壁における天井側に係止突起７０３を有しており、一方、前記フレーム材６において、コーナー留め具７の挿入孔７０２内に挿入される端部近傍には、前記係止突起７０３が嵌入する係止孔６０２が形成されている。そしてこれにより、フレーム材６の端部をコーナー留め具７における挿入孔７０２内に挿入した際には、係止突起７０３が係止孔６０２内に嵌入し、フレーム材６が容易には抜け出ないようにしている。
【００２５】
次に、このように構成される本実施例のフレームキットの作用について説明すると、前述したような手順で枠体２を略四角形状に枠組みするとともに、枠体２の挿入溝２０１内に周縁部が挿入される配置で枠体２の内周側に透明体３を支持し、更に、この透明体３の裏面に重ね合わせる配置で、かつ周縁部が前記挿入溝内に挿入される配置で前記枠体２内に裏板４を支持する。
【００２６】
そうすると、これによりフレーム１が完成し、透明体３及び裏板４間に写真、絵画等を挟み込むとともに、この写真、絵画等を挟み込んだ状態の枠体２を壁等に飾ることで、写真、絵画等を所望する箇所に飾ることが可能である。
【００２７】
一方、透明体３及び裏板４を、枠体２から取り外すとともに筒状に丸め、更に、フレーム材６をコーナー留め具７の挿入孔７０２より抜いて枠体２を分解することで、フレーム１をコンパクトにまとめることができ、更に、図６に示すように、フレーム１を構成していた、フレーム材６、コーナー留め具７、透明体３及び裏板４を収容手段本体５０１内に収容した後に蓋５０２を収容手段本体５０１に装着することで、持ち運びに際して嵩張ることを防止できる。
【００２８】
このように、本実施例のフレームキットでは、分解することによりコンパクトにまとめることができるために持ち運び便利であるのみならず、組み立てる楽しみを有しており、面白みのあるフレームキットにすることが可能である。
【００２９】
なお、前述の実施例では、分解した枠体、透明体、裏板等を収容する収容手段５を備えた形態としたが、この収容手段５は必ずしも必要なものではなく、これを備えなくてもよい。
【００３０】
また、収容手段を用いる場合には、必ずしも円筒状のチューブ状とした収容手段５を用いる必要もなく、フレーム１を構成していた部材を収容可能であればいずれでもよい。
【００３１】
例えば、図７は前記収容手段の他の形態を示す図であり、図７に示す収容手段５ｂは紙製の長箱状としており、長手方向に沿って折り筋５０３を有し、折り筋５０３に沿って潰すことを可能にしている。従って、図７（ａ）に示す通常の状態においてはフレーム１を構成していた部材を収容可能であり、一方、使用しない場合には、図７（ｂ）に示すように、折り筋５０３の部分を谷折りして潰すことで、コンパクトにすることが可能である。
【産業上の利用可能性】
【００３２】
本考案のフレームキットでは、分解することでコンパクトにすることができるとともに、組み立てる楽しみを有しているため、分解可能としたフレームの全般に適用可能である。
【図面の簡単な説明】
【００３３】
【図１】本考案のフレームキットの実施例を分解した状態の正面図である。
【図２】本考案のフレームキットの実施例における枠体を分解した状態の正面図である。
【図３】本考案のフレームキットの実施例におけるコーナー金具とフレーム材とを説明するための斜視図である。
【図４】本考案のフレームキットの実施例におけるコーナー金具を挿入孔側から見た図である。
【図５】本考案のフレームキットの実施例におけるコーナー金具とフレーム材との連結の関係を示す断面図である。
【図６】収容手段によって本考案のフレームキットの実施例をコンパクトにまとめる場合を説明するための図である。
【図７】収容手段の他の形態を説明するための図である。
【符号の説明】
【００３４】
１    フレーム
２    枠体
２０１    挿入溝
３    透明体
４    裏板
５、５ｂ    収容手段
５０１    収容手段本体
５０２    蓋
５０３    収容手段に形成した折筋
６    フレーム材
６０１    溝
６０２    係止孔
７    コーナー留め具
７０１    挿入部
７０２    挿入孔
７０３    係止突起
【図１】
0003124443.tif 000003
【図２】
0003124443.tif 000004
【図３】
0003124443.tif 000005
【図４】
0003124443.tif 000006
【図５】
0003124443.tif 000007
【図６】
0003124443.tif 000008
【図７】
0003124443.tif 000009